(57)【特許請求の範囲】
【請求項１】
ベース板と、このベース板の両端部および両側部を除く部位の対向する部位に対向するように配置された上方へ突出するチャンネル状の第１のスペーサと、この第１のスペーサの対向する一方の内側外壁面と切断可能に一体成形された該一方の内側外壁面と直角に位置するように前記ベース板の上方へ突出する板状の第２のスペーサと、この第２のスペーサを第１のスペーサと切断した時に該第２のスペーサをそれぞれ収納できるように前記ベース板に形成された第２のスペーサ収納孔とからなることを特徴とする植生ブロック舗装用スペーサ。
【請求項２】
中央部に切断可能な切断用凹部が形成されたベース板と、このベース板の両端部および両側部を除く部位の対向する部位に対向するように配置された上方へ突出するチャンネル状の第１のスペーサと、この第１のスペーサの対向する一方の内側外壁面と切断可能に一体成形された該一方の内側外壁面と直角に位置するように前記ベース板の上方へ突出する板状の第２のスペーサと、この第２のスペーサを第１のスペーサと切断した時に該第２のスペーサをそれぞれ収納できるように前記ベース板に形成された第２のスペーサ収納孔と、前記第１のスペーサ間の前記ベース板上に形成された一対の保水凹部と、前記ベース板の切断用凹部が形成された部位の中央部に形成された排水孔とからなることを特徴とする植生ブロック舗装用スペーサ。
【請求項３】
中央部に切断可能な切断用凹部が形成されたベース板と、このベース板の両端部および両側部を除く部位の対向する部位に対向するように配置された上方へ突出するチャンネル状の第１のスペーサと、この第１のスペーサ間の前記ベース板上に形成された一対の保水凹部と、前記ベース板の切断用凹部が形成された部位の中央部に形成された排水孔とからなることを特徴とする植生ブロック舗装用スペーサ。
【発明の詳細な説明】
【０００１】
【発明の属する技術分野】
本発明は駐車場、公園広場や緊急車両進入路等の緑化舗装に使用される植生ブロック舗装用スペーサに関する。
【０００２】
【従来の技術】
従来、緑化舗装する場合、ブロックに孔を形成し、該孔に土を入れ、芝等を植える方法やブロックを目地を広げて敷設し、該目地に土を入れ、芝等を植える方法が用いられている。
【０００３】
【発明が解決しようとする課題】
従来の孔を形成したブロックを用いる方法では、芝の根が横方向に生長することができないため、芝がすぐ枯れてしまうという欠点があり、ブロックを目地を広げて敷設する方法では、芝を効率よく生長させることができるが、車両の走行等によってブロックがガタつき、見苦しくなるという欠点があった。
【０００４】
本発明は以上のような従来の欠点に鑑み、芝を効率よく生長させることができるとともに、車両が走行したりしてもブロックがガタついたりすることなく、強固にブロックを敷設することができる植生ブロック舗装用スペーサを提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【０００６】
【課題を解決するための手段】
上記目的を達成するために、本発明はベース板と、このベース板の両端部および両側部を除く部位の対向する部位に対向するように配置された上方へ突出するチャンネル状の第１のスペーサと、この第１のスペーサの対向する一方の内側外壁面と切断可能に一体成形された該一方の内側外壁面と直角に位置するように前記ベース板の上方へ突出する板状の第２のスペーサと、この第２のスペーサを第１のスペーサと切断した時に該第２のスペーサをそれぞれ収納できるように前記ベース板に形成された第２のスペーサ収納孔とで植生ブロック舗装用スペーサを構成している。
【０００７】
【発明の実施の形態】
以下、図面に示す実施の形態により、本発明を詳細に説明する。
【０００８】
図１ないし図８に示す本発明の第１の実施の形態において、１は植生ブロック舗装に使用する本発明の植生ブロック舗装用スペーサで、この植生ブロック舗装用スペーサ１は合成樹脂材で成形されたもので、中央部に切断可能な切断用凹部２が形成された四角形状のベース板３と、このベース板３の両端部および両側部のブロック敷設部４、４、４、４を除く部位の対向する部位に対向するように配置された上方へ突出するチャンネル状の第１のスペーサ５、５と、この第１のスペーサ５、５の対向する一方の内側外壁面５ａ、５ａと切断可能な薄肉部６、６を介して一体成形された該一方の内側外壁面５ａ、５ａと直角に位置するように前記ベース板３の上方へ突出する板状の第２のスペーサ７、７と、この第２のスペーサ７、７を前記第１のスペーサ５、５と切断した時に該第２のスペーサ７、７をそれぞれ収納できるように前記ベース板３に形成された第２のスペーサ収納孔８、８と、前記第１のスペーサ５、５間の前記ベース板３上に形成された一対の保水凹部９、９と、前記ベース板３の切断用凹部２が形成された部位の中央部に形成された排水孔１０とで構成されている。
【０００９】
上記構成の植生ブロック舗装用スペーサ１は図５に示すように、第１のスペーサ５、５の他方の外壁面５ｂ、５ｂにブロック１１のほぼ中央側面を当接させるとともに、第１のスペーサ５、５の一方の外壁面５ａ、５ａと、第２のスペーサ７、７の外側面とにブロック１１、１１の角部が位置するように敷設することにより、芝等を植えることができるＴ型目地１２が形成される。
【００１０】
図６に示すように、ブロック１１の各辺のほぼ中央部に植生ブロック舗装用スペーサ１、１、１、１の第１のスペーサ５、５、５、５の外側側面５ｃ、５ｃ、５ｃ、５ｃが当接するように敷設することにより、クロス目地１３が形成できるようにブロック１１を敷設することができる。
【００１１】
図７に示すように、植生ブロック舗装用スペーサ１の第１のスペーサ５、５と第２のスペーサ７、７とを接続している薄肉部６、６をカッターナイフでカットし、第２のスペーサ収納孔８、８に第２のスペーサ７、７を収納することにより第１のスペーサ５、５の一方の外壁面５ａ、５ａと他方の外壁面５ｂ、５ｂとにブロック１１、１１のほぼ中央部が位置するように敷設することにより、Ｉ型目地１４が形成できるようにブロック１１を敷設することができる。
【００１２】
図８に示すように、切断用凹部２をカッターナイフでカットし、２分割することにより第１のスペーサ５の外側側面５ｃおよび内側端面５ｄと第２のスペーサ７の内側面とのほぼ中央部にブロック１１、１１のほぼ中央部が位置するように敷設することにより、小さい幅寸法のＩ型目地１４Ａが形成できるようにブロック１１を敷設することができる。
【００１３】
【発明の異なる実施の形態】
次に、図９ないし図６５に示す本発明の異なる実施の形態につき説明する。なお、これらの本発明の異なる実施の形態の説明に当って、前記本発明の第１の実施の形態と同一構成部分には同一符号を付して重複する説明を省略する。
【００１４】
図９ないし図１１に示す本発明の第２の実施の形態において、前記本発明の第１の実施の形態と主に異なる点は、切断可能な切断用凹部のないベース板３Ａを用いた点で、このように形成された植生ブロック舗装用スペーサ１Ａにしてもよい。
【００１５】
図１２ないし図１４に示す本発明の第３の実施の形態において、前記本発明の第１の実施の形態と主に異なる点は、第１のスペーサ５、５の両端部にほぼ同じ寸法のブロック敷設部４、４、４、４ができるように該第１のスペーサ５、５をベース板３Ｂに一体成形した点で、このように形成した植生ブロック舗装用スペーサ１Ｂにしてもよい。
【００１６】
図１５ないし図１７に示す本発明の第４の実施の形態において、前記本発明の第１の実施の形態と主に異なる点は、第１のスペーサ５、５間のベース板３に大きな保水凹部９Ａを形成するとともに、ベース板３の両端部寄りの切断用凹部２形成部位に排水孔１０、１０を形成した点で、このように形成した植生ブロック舗装用スペーサ１Ｃにしてもよい。
【００１７】
図１８および図１９に示す本発明の第５の実施の形態において、前記本発明の第１の実施の形態と主に異なる点は、長方形状のベース板３Ｃの両端部に第１のスペーサ５、５の外側側面５ｃ、５ｃが位置するように形成した点で、このように形成した植生ブロック舗装用スペーサ１Ｄにしてもよい。
なお、本発明の実施の形態では第１のスペーサ５、５と第２のスペーサ７、７とを一体に形成したものを図示したが、本発明はこれに限らず、第２のスペーサ７、７をカッターナイフで容易に切断できるように形成してもよい。
【００１８】
図２０および図２１に示す本発明の第６の実施の形態において、前記本発明の第５の実施の形態と主に異なる点は、長方形状のベース板３Ｃの一側端部側に第１のスペーサ５、５と接続しない小さな幅寸法の第２のスペーサ７Ａ、７Ａを形成した点で、このように形成した植生ブロック舗装用スペーサ１Ｅにしても、前記本発明の第５の実施の形態と同様な作用効果が得られる。
【００１９】
図２２および図２３に示す本発明の第７の実施の形態において、前記本発明の第５の実施の形態と主に異なる点は、第１のスペーサ５、５の一方の内側外壁面５ａ、５ａと接続するようにチャンネル状の第２のスペーサ７Ｂを形成するとともに、他方の外壁面５ｂ、５ｂを接続壁５ｅによって一体に接続して箱状部１５を形成した点で、このように形成した植生ブロック舗装用スペーサ１Ｆにしても前記本発明の第５の実施の形態と同様な作用効果が得られる。
【００２０】
図２４および図２５に示す本発明の第８の実施の形態において、前記本発明の第５の実施の形態と主に異なる点は、長方形状のベース板３Ｃに第１のスペーサ５、５だけを上方に突出するように形成した点で、このように形成した植生ブロック舗装用スペーサ１Ｇにしても、前記本発明の第３の実施の形態と同様な作用効果が得られる。
【００２１】
図２６および図２７に示す本発明の第９の実施の形態において、前記本発明の第８の実施の形態と主に異なる点は、第１のスペーサ５、５の一方の外壁面５ａ、５ａと他方の外壁面５ｂ、５ｂとをそれぞれ接続壁５ｅ、５ｅによって一体に接続して箱状部１５Ａを形成した点で、このように形成した植生ブロック舗装用スペーサ１Ｈにしても、前記本発明の第８の実施の形態と同様な作用効果が得られる。
【００２２】
図２８および図２９に示す本発明の第１０の実施の形態において、前記本発明の第５の実施の形態と主に異なる点は、第１のスペーサ５、５の他方の内側外壁面５ｂ、５ｂと接続する第３のスペーサ１６、１６を形成した点で、このように形成した植生ブロック舗装用スペーサ１Ｉにしても、前記本発明の第５の実施の形態と同様な作用効果が得られる。
【００２３】
図３０および図３１に示す本発明の第１１の実施の形態において、前記本発明の第６の実施の形態と主に異なる点は、長方形状のベース板３Ｃの他側端部側に第１のスペーサ５、５と接続しない小さな幅寸法の第３のスペーサ１６Ａ、１６Ａを形成した点で、このように形成した植生ブロック舗装用スペーサ１Ｊにしても、前記本発明の第１０の実施の形態と同様な作用効果が得られる。
【００２４】
図３２および図３３に示す本発明の第１２の実施の形態において、前記本発明の第１０の実施の形態と主に異なる点は、第２のスペーサ７、７と第３のスペーサ１６、１６との外側端部をそれぞれ接続壁５ｆ、５ｆによって一体に接続して箱状部１５Ｃを形成した点で、このように形成した植生ブロック舗装用スペーサ１Ｋにしても、前記本発明の第７の実施の形態と同様な作用効果が得られる。
【００２５】
図３４ないし図３６に示す本発明の第１３の実施の形態において、前記本発明の第９の実施の形態と主に異なる点は、長方形状のベース板３Ｃの底面に下方に突出する一対の埋設片１７、１７を一体成形した点で、このように形成した植生ブロック舗装用スペーサ１Ｌにすることにより、ブロック舗装面に確実に固定することができる。
なお、本発明の実施の形態では箱状部１５Ａの底面に何も形成しないものについて説明したが、仮想線に示すように保水凹部９、９と、排水孔１０を形成してもよい。
【００２６】
図３７および図３８に示す本発明の第１４の実施の形態において、前記本発明の第１３の実施の形態と主に異なる点は、押し出し成形できるようにベース板３Ｄの上面に板状の第１のスペーサ５Ａ、５Ａを形成した点で、このように形成した植生ブロック舗装用スペーサ１Ｍにしてもよい。
【００２７】
図３９ないし図４１に示す本発明の第１５の実施の形態において、前記本発明の第７の実施の形態と主に異なる点は仕切壁１８によって２個の箱状部１５Ａ、１５Ｄを形成するとともに、ベース板３Ｃの底面に下方に突出する埋設片１７、１７Ａ、１７Ａを一体成形した点で、このように形成した植生ブロック舗装用スペーサ１Ｎにすることにより、ブロック舗装面に確実に固定することができる。
【００２８】
図４２ないし図４４に示す本発明の第１６の実施の形態において、前記本発明の第１２の実施の形態と主に異なる点は、仕切壁１８、１８によって３個の箱状部１５Ａ、１５Ｄ、１５Ｄを形成するとともに、ベース板３Ｃの底面に下方に突出する埋設片１７Ａ、１７Ａ、１７Ａ、１７Ａを一体成形した点で、このように形成した植生ブロック舗装用スペーサ１Ｏにすることにより、ブロック舗装面に確実に固定することができる。
【００２９】
図４５および図４６に示す本発明の第１７の実施の形態において、前記本発明の第２の実施の形態と主に異なる点は、ベース板３Ａの一方の端部寄りの部位に上方へ突出する２個のピン７ａ、７ａを用いたピン状の第２のスペーサ７Ｃを一体形成した点で、このように形成された植生ブロック舗装用スペーサ１Ｐにしても、前記本発明の第２の実施の形態と同様な作用効果が得られる。
【００３０】
図４７および図４８に示す本発明の第１８の実施の形態において、前記本発明の第１７の実施の形態と主に異なる点は、ベース板３Ａの一方の端部寄りの部位に上方へ突出する板状の第２のスペーサ７Ｄを一体形成した点で、このように形成された植生ブロック舗装用スペーサ１Ｑにしても、前記本発明の第１７の実施の形態と同様な作用効果が得られる。
【００３１】
図４９および図５０に示す本発明の第１９の実施の形態において、前記本発明の第７の実施の形態と主に異なる点は、ベース板３Ａの両端部および両側部を除く部位に第１のスペーサ５、５を形成するとともに、第１のスペーサ５、５の接続壁５ｅおよび第２のスペーサ７Ｂの側面に凹部状の目地キープ部１９、１９を形成した点で、このように形成された植生ブロック舗装用スペーサ１Ｒにしても前記本発明の第７の実施の形態と同様な作用効果が得られる。
【００３２】
図５１および図５２に示す本発明の第２０の実施の形態において、前記本発明の第１７の実施の形態と主に異なる点は、２個のピン２０、２０からなる一対の第１のスペーサ５Ｂ、５Ｂをベース板３Ａに一体形成した点で、このように形成された植生ブロック舗装用スペーサ１Ｓにしても、前記本発明の第１７の実施の形態と同様な作用効果が得られる。
【００３３】
図５３および図５４に示す本発明の第２１の実施の形態において、前記本発明の第１８の実施の形態と主に異なる点は、凸文字の輪郭形状のベース板３Ｄの両端部に第１のスペーサ５、５、上側部に板状の第２のスペーサ７Ｄを形成するとともに、前記ベース板３Ｄの両側部および第２のスペーサ７Ｄ形成部位の両端部より外方へ突出するように敷設されるブロックの下部と当接する複数個のブロック支持片２１を形成した点で、このように形成された植生ブロック舗装用スペーサ１Ｔにしても前記本発明の第１８の実施の形態と同様な作用効果が得られる。
【００３４】
図５５ないし図５７に示す本発明の第２２の実施の形態において、前記本発明の第１７の実施の形態と主に異なる点は、上部が小径となる長方形筒状の第１のスペーサ５Ｃ、５Ｃと、この第１のスペーサ５Ｃ、５Ｃよりも低い長方形状の筒状に突出された第２のスペーサ７Ｅをベース板３Ａの一側部に一体成形した点で、このように形成された植生ブロック舗装用スペーサ１Ｕにしても、前記本発明の第１７の実施の形態と同様な作用効果が得られる。
【００３５】
図５８および図５９に示す本発明の第２３の実施の形態において、前記本発明の第１７の実施の形態と主に異なる点は、ベース板３Ａの両端部寄りの部位に上方へ突出する２個のピン７ａ、７ａを用いたピン状の第２のスペーサ７Ｃ、７Ｃを一体形成した点で、このように形成された植生ブロック舗装用スペーサ１Ｖにしても、前記本発明の第１７の実施の形態と同様な作用効果が得られる。
【００３６】
図６０および図６１に示す本発明の第２４の実施の形態において、前記本発明の第１７の実施の形態と主に異なる点は、ベース板３Ａに第１のスペーサ５、５だけを形成した点で、このように形成された植生ブロック舗装用スペーサ１Ｗにしてもよい。
【００３７】
図６２および図６３に示す本発明の第２５の実施の形態において、前記本発明の第２２の実施の形態と主に異なる点は、ベース板３Ａの両側部に第２のスペーサ７Ｅ、７Ｅを一体成形した点で、このように形成された植生ブロック舗装用スペーサ１Ｘにしても、前記本発明の第２２の実施の形態と同様な作用効果が得られれる。
【００３８】
図６４および図６５に示す本発明の第２６の実施の形態において、前記本発明の第２２の実施の形態と主に異なる点は、ベース板３Ａに第１のスペーサ５Ｃ、５Ｃだけを形成した点で、このように形成された植生ブロック舗装用スペーサ１Ｙにしてもよい。
【００３９】
【発明の効果】
以上の説明から明らかなように、本発明にあっては次に列挙する効果が得られる。
【００４０】
（１）ベース板と、このベース板の両端部および両側部を除く部位の対向する部位に対向するように配置された上方へ突出するチャンネル状の第１のスペーサと、この第１のスペーサの対向する一方の内側外壁面と切断可能に一体成形された該一方の内側外壁面と直角に位置するように前記ベース板の上方へ突出する板状の第２のスペーサと、この第２のスペーサを第１のスペーサと切断した時に該第２のスペーサをそれぞれ収納できるように前記ベース板に形成された第２のスペーサ収納孔とで構成されてるので、ブロックを目地を形成した整列状態で敷設することができる。
したがって、目地部に芝等を植えることにより、根を横方向に生長させることができ、従来のようにすぐ枯れたりするのを防止することができる。
【００４１】
（２）前記（１）によって、車両が走行してもブロックが跳ね上がったり、ガタついたりするのをスペーサによって効率よく防止することができる。
したがって、長期間ブロックの敷設状態を保って、見苦しくなるのを防止することができる。
【００４２】
（３）前記（１）によって、第１のスぺーサの両側部や両端部のベース板上にブロックの外周部が位置するので、ブロックの位置決めが容易にでき、ブロックの敷設作業を楽に行なうことができる。
【００４３】
（４）前記（１）によって、第２のスペーサが不用な状態でブロックを敷設する場合、簡単に第２のスペーサを第１のスペーサと切断して、第２のスペーサ収納孔に収納することができる。
したがって、第２のスペーサがブロックの敷設にじゃまになることなく、使用することができる。
【００４４】
（５）請求項２、３も前記（１）〜（４）と同様な効果が得られるとともに、２分割して使用したり、目地部となる部位の保水凹部に水を溜めることができる。
【図面の簡単な説明】
【図１】本発明の第１の実施の形態の斜視図。
【図２】本発明の第１の実施の形態の平面図。
【図３】本発明の第１の実施の形態の正面図。
【図４】図２の４−４線に沿う断面図。
【図５】本発明の第１の実施の形態のＴ型目地となる敷設状態の説明図。
【図６】本発明の第１の実施の形態のクロス目地となる敷設状態の説明図。
【図７】本発明の第１の実施の形態のＩ型目地となる敷設状態の説明図。
【図８】本発明の第１の実施の形態の小さなＩ型目地となる敷設状態の説明図。
【図９】本発明の第２の実施の形態の平面図。
【図１０】図９の１０−１０線に沿う断面図。
【図１１】本発明の第２の実施の形態の使用状態の説明図。
【図１２】本発明の第３の実施の形態の平面図。
【図１３】図１２の１３−１３線に沿う断面図。
【図１４】本発明の第３の実施の形態の使用状態の説明図。
【図１５】本発明の第４の実施の形態の平面図。
【図１６】図１５の１６−１６線に沿う断面図。
【図１７】本発明の第４の実施の形態の使用状態の説明図。
【図１８】本発明の第５の実施の形態の平面図。
【図１９】図１８の１９−１９線に沿う断面図。
【図２０】本発明の第６の実施の形態の平面図。
【図２１】図２０の２１−２１線に沿う断面図。
【図２２】本発明の第７の実施の形態の平面図。
【図２３】図２２の２３−２３線に沿う断面図。
【図２４】本発明の第８の実施の形態の平面図。
【図２５】図２４の２５−２５線に沿う断面図。
【図２６】本発明の第９の実施の形態の平面図。
【図２７】図２６の２７−２７線に沿う断面図。
【図２８】本発明の第１０の実施の形態の平面図。
【図２９】図２８の２９−２９線に沿う断面図。
【図３０】本発明の第１１の実施の形態の平面図。
【図３１】図３０の３１−３１線に沿う断面図。
【図３２】本発明の第１２の実施の形態の平面図。
【図３３】図３２の３３−３３線に沿う断面図。
【図３４】本発明の第１３の実施の形態の平面図。
【図３５】図３４の３５−３５線に沿う断面図。
【図３６】本発明の第１３の実施の形態の底面図。
【図３７】本発明の第１４の実施の形態の平面図。
【図３８】図３７の３８−３８線に沿う断面図。
【図３９】本発明の第１５の実施の形態の平面図。
【図４０】図３９の４０−４０線に沿う断面図。
【図４１】本発明の第１５の実施の形態の底面図。
【図４２】本発明の第１６の実施の形態の平面図。
【図４３】図４２の４３−４３線に沿う断面図。
【図４４】本発明の第１６の実施の形態の底面図。
【図４５】本発明の第１７の実施の形態の斜視図。
【図４６】本発明の第１７の実施の形態の平面図。
【図４７】本発明の第１８の実施の形態の斜視図。
【図４８】本発明の第１８の実施の形態の平面図。
【図４９】本発明の第１９の実施の形態の斜視図。
【図５０】本発明の第１９の実施の形態の平面図。
【図５１】本発明の第２０の実施の形態の斜視図。
【図５２】本発明の第２０の実施の形態の平面図。
【図５３】本発明の第２１の実施の形態の斜視図。
【図５４】本発明の第２１の実施の形態の平面図。
【図５５】本発明の第２２の実施の形態の平面図。
【図５６】図５５の５６−５６線に沿う断面図。
【図５７】図５５の５７−５７線に沿う断面図。
【図５８】本発明の第２３の実施の形態の斜視図。
【図５９】本発明の第２３の実施の形態の平面図。
【図６０】本発明の第２４の実施の形態の斜視図。
【図６１】本発明の第２４の実施の形態の平面図。
【図６２】本発明の第２５の実施の形態の斜視図。
【図６３】図６２の６３−６３線に沿う断面図。
【図６４】本発明の第２６の実施の形態の平面図。
【図６５】図６４の６５−６５線に沿う断面図。
【符号の説明】
１、１Ａ〜１Ｙ：植生ブロック舗装用スペーサ、
２：切断用凹部、
３、３Ａ〜３Ｄ：ベース板、
４：ブロック敷設部、
５、５Ａ〜５Ｃ：第１のスペーサ、
６：薄肉部、            ７、７Ａ〜７Ｅ：第２のスペーサ、
８：第２のスペーサ収納孔、
９、９Ａ：保水凹部、
１０：排水孔、
１１：ブロック、        １２：Ｔ型目地、
１３：クロス目地、      １４、１４Ａ：Ｉ型目地、
１５、１５Ａ〜１５Ｄ：箱状部、
１６、１６Ａ：第３のスペーサ、
１７、１７Ａ：埋設片、  １８：仕切壁、
１９：目地キープ部、
２０：ピン、
２１：ブロック支持片。
【図１】
0004079394.tif 000002
【図２】
0004079394.tif 000003
【図３】
0004079394.tif 000004
【図４】
0004079394.tif 000005
【図５】
0004079394.tif 000006
【図６】
0004079394.tif 000007
【図７】
0004079394.tif 000008
【図８】
0004079394.tif 000009
【図９】
0004079394.tif 000010
【図１０】
0004079394.tif 000011
【図１１】
0004079394.tif 000012
【図１２】
0004079394.tif 000013
【図１３】
0004079394.tif 000014
【図１４】
0004079394.tif 000015
【図１５】
0004079394.tif 000016
【図１６】
0004079394.tif 000017
【図１７】
0004079394.tif 000018
【図１８】
0004079394.tif 000019
【図１９】
0004079394.tif 000020
【図２０】
0004079394.tif 000021
【図２１】
0004079394.tif 000022
【図２２】
0004079394.tif 000023
【図２３】
0004079394.tif 000024
【図２４】
0004079394.tif 000025
【図２５】
0004079394.tif 000026
【図２６】
0004079394.tif 000027
【図２７】
0004079394.tif 000028
【図２８】
0004079394.tif 000029
【図２９】
0004079394.tif 000030
【図３０】
0004079394.tif 000031
【図３１】
0004079394.tif 000032
【図３２】
0004079394.tif 000033
【図３３】
0004079394.tif 000034
【図３４】
0004079394.tif 000035
【図３５】
0004079394.tif 000036
【図３６】
0004079394.tif 000037
【図３７】
0004079394.tif 000038
【図３８】
0004079394.tif 000039
【図３９】
0004079394.tif 000040
【図４０】
0004079394.tif 000041
【図４１】
0004079394.tif 000042
【図４２】
0004079394.tif 000043
【図４３】
0004079394.tif 000044
【図４４】
0004079394.tif 000045
【図４５】
0004079394.tif 000046
【図４６】
0004079394.tif 000047
【図４７】
0004079394.tif 000048
【図４８】
0004079394.tif 000049
【図４９】
0004079394.tif 000050
【図５０】
0004079394.tif 000051
【図５１】
0004079394.tif 000052
【図５２】
0004079394.tif 000053
【図５３】
0004079394.tif 000054
【図５４】
0004079394.tif 000055
【図５５】
0004079394.tif 000056
【図５６】
0004079394.tif 000057
【図５７】
0004079394.tif 000058
【図５８】
0004079394.tif 000059
【図５９】
0004079394.tif 000060
【図６０】
0004079394.tif 000061
【図６１】
0004079394.tif 000062
【図６２】
0004079394.tif 000063
【図６３】
0004079394.tif 000064
【図６４】
0004079394.tif 000065
【図６５】
0004079394.tif 000066